(57)【要約】【課題】壁面に設置される記録装置において、水平に排出される被記録物が床に落下することを防ぐ。【解決手段】記録装置であって、壁面に設置された状態で、被記録物に記録を行い、記録された被記録物を当該壁面に沿って水平に排出する装置本体と、装置本体に対して被記録物の排出方向に取り付けられ、装置本体から排出された被記録物を下方から支持する排出トレイとを備える。装置本体が被記録物を壁面に沿って鉛直下方に排出する姿勢で当該壁面に設置された状態において、排出トレイは、装置本体から排出された被記録物を下方から支持してもよい。【選択図】図１
2006182550.tif 000002
【特許請求の範囲】
【請求項１】
壁面に設置された状態で、被記録物に記録を行い、記録された前記被記録物を当該壁面に沿って水平に排出する装置本体と、
前記装置本体に対して前記被記録物の排出方向に取り付けられ、前記装置本体から排出された前記被記録物を下方から支持する排出トレイと
を備える記録装置。
【請求項２】
前記装置本体が前記被記録物を壁面に沿って鉛直下方に排出する姿勢で当該壁面に設置された状態において、前記排出トレイは、前記装置本体から排出された前記被記録物を下方から支持する請求項１に記載の記録装置。
【請求項３】
前記排出トレイは、前記装置本体が前記被記録物を壁面に沿って水平に排出する姿勢で当該壁面に設置された状態において、上面が開口した袋形状を有する請求項１又は２に記載の記録装置。
【請求項４】
前記排出トレイは、前記装置本体が前記被記録物を壁面に沿って水平に排出する姿勢で当該壁面に設置された状態において、前記壁面に沿った一対の側面が上面から下面に向けて切り欠かれた取出部をさらに有する請求項３に記載の記録装置。
【請求項５】
被記録物に記録を行う装置本体に取り付けられ、前記装置本体が前記被記録物を壁面に沿って水平に排出する姿勢で当該壁面に設置された状態において、上面が開口した袋形状を有する排出トレイ。
【請求項６】
前記排出トレイは、前記装置本体が前記被記録物を壁面に沿って水平に排出する姿勢で当該壁面に設置された状態において、前記壁面に沿った一対の側面が上面から下面に向けて切り欠かれた取出部をさらに有する請求項５に記載の排出トレイ。
【発明の詳細な説明】
【技術分野】
【０００１】
本発明は、記録装置及び排出トレイに関する。特に、本発明は、壁面に設置された状態で、水平または鉛直下方に被記録物を排出する記録装置及び排出トレイに関する。
【背景技術】
【０００２】
従来、壁面に設置され、記録された被記録物を装置本体の鉛直下方に排出する記録装置が知られている。この記録装置において、装置本体の下方において、排出された被記録物が床に落下しないように支持する排紙トレイが設けられているものがある（例えば、特許文献１）。
【特許文献１】特表２００３−５００２４１号公報
【発明の開示】
【発明が解決しようとする課題】
【０００３】
しかしながら、上記特許文献に示された排紙トレイは、被記録物が取り出しやすいように側面が開放されているため、この側面が下面に来る状態、即ち、被記録物が水平に排出される状態で壁面に設置される記録装置に用いることができない。
【課題を解決するための手段】
【０００４】
上記課題を解決するために、本発明の第１の形態においては、記録装置であって、壁面に設置された状態で、被記録物に記録を行い、記録された被記録物を当該壁面に沿って水平に排出する装置本体と、装置本体に対して被記録物の排出方向に取り付けられ、装置本体から排出された被記録物を下方から支持する排出トレイとを備える。これにより、装置本体から被記録物が水平に排出された場合に、排出トレイが被記録物を落下させずに保持することができる。
【０００５】
上記記録装置において、装置本体が被記録物を壁面に沿って鉛直下方に排出する姿勢で当該壁面に設置された状態において、排出トレイは、装置本体から排出された被記録物を下方から支持してもよい。これにより、装置本体から被記録物が水平に排出される場合であっても鉛直下方に排出される場合であっても、排出トレイが被記録物を落下させずに保持することができる。
【０００６】
上記記録装置において、排出トレイは、装置本体が被記録物を壁面に沿って水平に排出する姿勢で当該壁面に設置された状態において、上面が開口した袋形状を有してもよい。これにより、排出トレイが被記録物を確実に保持することができる。
【０００７】
上記記録装置において、排出トレイは、装置本体が被記録物を壁面に沿って水平に排出する姿勢で当該壁面に設置された状態において、壁面に沿った一対の側面が上面から下面に向けて切り欠かれた取出部をさらに有してもよい。これにより、排出トレイに保持された被記録物を容易に取り出すことができる。また、排出トレイに保持されたままで被記録物上の記録の状態を目視することができる。
【０００８】
本発明の第２の形態においては、排出トレイであって、被記録物に記録を行う装置本体に取り付けられ、装置本体が被記録物を壁面に沿って水平に排出する姿勢で当該壁面に設置された状態において、上面が開口した袋形状を有する。これにより、排出トレイが被記録物を確実に保持することができる。
【０００９】
上記排出トレイは、装置本体が被記録物を壁面に沿って水平に排出する姿勢で当該壁面に設置された状態において、壁面に沿った一対の側面が上面から下面に向けて切り欠かれた取出部をさらに有してもよい。これにより、排出トレイに保持された被記録物を容易に取り出すことができる。また、排出トレイに保持されたままで被記録物上の記録の状態を目視することができる。
【００１０】
なお、上記の発明の概要は、本発明の必要な特徴の全てを列挙したものではなく、これらの特徴群のサブコンビネーションもまた、発明となりうる。
【発明を実施するための最良の形態】
【００１１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１２】
図１は、本発明の実施形態における記録装置１００の斜視図である。図１において、記録装置１００は、壁面１０に沿って被記録物２０（後述する）が水平（図中の矢印Ａの方向）に排出される姿勢で、壁面１０に取り付けられている。以下、図１に示す姿勢を横置きという。
【００１３】
図１の記録装置１００は、被記録物２０に記録を行う装置本体１２０、及び、装置本体１２０に取り付けられた排出トレイ１４０を有する。装置本体１２０は、図１に示す横置きの姿勢において、側面（図１における右側面）に被記録物２０を排出する排出口１２２を有する。装置本体１２０は、記録を行った被記録物２０を壁面１０に沿って水平（図中の矢印Ａ方向）に排出する。また、記録装置１００の装置本体１２０は、図示しないフックを背面側に有し、このフックにより壁面１０に取り付けられている。
【００１４】
図２（ａ）は、図１に示す排出トレイ１４０を上方から見た平面図であり、図２（ｂ）は、排出トレイ１４０を図２（ａ）に示す断面Ｂで切断した断面図である。
【００１５】
図１及び図２に示すように、排出トレイ１４０は、装置本体１２０における被記録物２０の排出方向の下流側、すなわち、図１の姿勢における右側に配される。排出トレイ１４０は、横下面１６０、縦下面１７０、前面１８０及び背面１９０により形成される袋形状を有する。この袋形状における壁面に沿った内面の大きさは、被記録物２０の大きさ、例えば、Ａ４サイズよりも若干大きい。排出トレイ１４０は、例えば樹脂の一体成型または板金の折り曲げ加工により形成される。
【００１６】
さらに、排出トレイ１４０は、図１に示す横置きの姿勢における上面１５０において開口１５２を有する。さらに、排出トレイ１４０において向かい合う一対の前面１８０及び背面１９０は、上面１５０側から横下面１６０側へ向けて切り欠かれた切り欠き１８２、１９２を有する。これら切り欠き１８２、１９２は、本発明における取出部の一例である。図１に示す切り欠き１８２、１９２は、手のひら程度の大きさを有する。しかしながら、切り欠き１８２、１９２の大きさはこれに限られず、親指程度の大きさであってもよい。
【００１７】
以上の構成において、排出トレイ１４０は、図１に示す横置きの姿勢において、装置本体１２０から排出された被記録物２０を横下面１６０において下方から支持する。これにより、排出トレイ１４０は、被記録物２０を落下させずに保持することができる。特に、排出トレイ１４０は、袋形状を有するので、前面１８０及び背面１９０で被記録物２０の表裏面を確実に保持することができる。
【００１８】
また、切り欠き１８２及び切り欠き１９２による取出部が設けられているので、前面１８０と背面１９０との間が近接している場合であっても、ユーザが被記録物２０を容易に取り出すことができる。さらに、被記録物２０に保持されたままで被記録物２０上の記録の状態を、ユーザが、切り欠き１８２を通して目視することができる。なお、排出トレイ１４０において、少なくとも前面１８０が透明であってもよい。この場合には、切り欠き１８２の大きさに関わらず、排出トレイ１４０に保持された状態で被記録物２０上の記録の状態をユーザが目視することができる。
【００１９】
図３は、図１の記録装置１００の装置本体１２０が被記録物２０を壁面１０に沿って鉛直下方に排出する姿勢で、記録装置１００が当該壁面１０に設置された状態の斜視図である。以下、図３に示す状態を縦置きという。
【００２０】
図３に示す縦置きの状態において、装置本体１２０の排出口１２２は鉛直下方へ向けて開口し、その下方に排出トレイ１４０が位置する。図３に示す縦置きの状態において、排出トレイ１４０の縦下面１７０が下面に来る。よって、装置本体１２０から被記録物２０が下方に排出された場合に、排出トレイ１４０の縦下面１７０が被記録物２０を下方から支持する。これにより、装置本体１２０から被記録物２０が水平に排出される場合であっても鉛直下方に排出される場合であっても、排出トレイ１４０が被記録物２０を落下させずに保持することができる。
【００２１】
図１から図３に示す排出トレイ１４０において、横下面１６０、縦下面１７０、前面１８０及び背面１９０はいずれも連続した平面であるが、これに限られない。他の例としてメッシュ状であってもよい。
【００２２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００２３】
【図１】本発明の実施形態における記録装置１００の斜視図である。
【図２】（ａ）は、図１に示す排出トレイ１４０を上方から見た平面図であり、（ｂ）は、排出トレイ１４０を（ａ）に示す断面Ｂで切断した断面図である。
【図３】記録装置１００が他の姿勢で設置された状態を示す。
【符号の説明】
【００２４】
１０  壁面、２０  被記録物、１００  記録装置、１２０  装置本体、１２２  排出口、１４０  排出トレイ、１５０  上面、１５２  開口、１６０  横下面、１７０  縦下面、１８０  前面、１８２  切り欠き、１９０  背面、１９２  切り欠き
【図１】
2006182550.tif 000003
【図２】
2006182550.tif 000004
【図３】
2006182550.tif 000005